(57)【要約】【課題】  歯ブラシを歯や歯茎に強く押しつけることなく、歯間部や奥歯の裏側などの奥まった部位に毛先を入り込ませることができて、歯垢除去能力に優れた歯ブラシを提供する。【解決手段】  植毛部の略中央部の毛長さを変化させて、エッジ部を形成したことを特徴とする歯ブラシ。また、毛長さの変化を、短い毛長さ、あるいは、長さの異なる短い毛長さで形成したこと、毛を無くして形成したこと、または、その両者を組み合わせた方法で形成したこと、を特徴とする歯ブラシ。【選択図】図１
2009018145.tif 000002
【特許請求の範囲】
【請求項１】
先端に植毛部を有する歯ブラシにおいて、
植毛部の略中央部の毛長さを変化させて、エッジ部を形成したこと
を特徴とする、歯ブラシ。
【請求項２】
前記記載の毛長さの変化を、
短い毛長さ、あるいは、長さの異なる短い毛長さで形成したこと、毛を無くして形成したこと、または、その両者を組み合わせた方法で形成したこと
を特徴とする、請求項１に記載の歯ブラシ。
【発明の詳細な説明】
【技術分野】
【０００１】  本発明は、歯間や奥歯の裏側などの奥まった部位の歯垢除去に優れた、歯ブラシに関する。
【背景技術】
【０００２】  歯ブラシには、植毛部の形状、毛束の形状・配置方法、毛先の形状・処理方法などに特徴を持つものが、種々提案されている。これは、歯垢除去能力の向上や、毛のへたりにくさや耐久性、歯間部や奥歯などの奥まった部位の歯垢除去能力の強化、等を可能とするものである。
【発明の開示】
【発明が解決しようとする課題】
【０００３】  しかし、歯間部や奥歯の裏側の歯垢などの汚れを効果的に除去するためには、歯の表面と毛先の関係が特に重要であり、種々の提案がなされている。毛先の処理では、大きな円弧状カットや、連続山形カットなどがあり、毛束の形状では、単純な円形で等間隔に植毛する方法でなく、毛束の径や間隔を変化させる、円形でなく幅広形状にする、などが提案されている。また、両者を組み合わせたものも提案されている。いずれにしても、単純でなく複雑であるため、製造工数は増加の傾向である。【０００４】  また、奥歯の裏側まで毛先が届くようにするために、植毛部を小さくコンパクトにしたものや、歯間部の奥まで毛先が届くように、毛先をテーパー状に加工したものが提案されている。しかし、いずれのものも、毛長さが略同一であるために、歯の表面を結ぶ接線上に毛先が並んでしまい、毛先を奥歯の裏側や歯間部の奥に届けさせることができない。この状態で毛先を歯の奥まった部位に届けさせるためには、歯ブラシを歯の表面に強く押しつけて毛を大きく屈曲させる必要がある。毛を大きく屈曲させることで、歯ブラシと歯の表面との距離を小さくでき、毛先を目的の部位に近付けることができる。このため、毛は大きく変形しへたりやすくなり、押しつける力が強いために、歯や歯茎に与える悪影響も大きいものがある。
【課題を解決するための手段】
【０００５】  本発明の歯ブラシは、植毛部の略中央部の毛長さを変化させて、エッジ部を形成したこと、を特徴とする。【０００６】  前記記載の毛長さの変化を、短い毛長さ、あるいは、長さの異なる短い毛長さで形成したこと、毛を無くして形成したこと、または、その両者を組み合わせた方法で形成したこと、を特徴とする。
【発明の効果】
【０００７】  本発明の歯ブラシは、植毛部の略中央部にエッジ部を形成し、これを形成するための短い毛長さ、あるいは、毛がないこと、または、各々を組み合わせた部分は、凹形状をしている。したがって、歯ブラシを歯の表面に当てたときに、歯の出っ張っている部分と歯ブラシの凹形状部分とを合わせることで、歯ブラシを歯に強く押しつけることなく、歯間部の奥や奥歯の裏側などの毛先が届きにくい部位に、エッジ部の毛先を容易に入り込ませることができる。これは、非常にフィット感のある使用感を提供するものである。また、でこぼこしている部分や、歯と歯茎の境目などにも、歯ブラシを小刻みに動かすことで、このエッジ部近傍の毛先を効果的に接触させることができる。歯ブラシを小刻みに動かすことで、このエッジ部が動き、除去しにくい部分の歯垢を効果的に除去することができる。エッジ部は一対であるので、同時に２箇所の歯間部を洗浄できるので、効率的に歯磨きを行うことができる。また、歯に押しつける力が軽いために、歯や歯茎に与える影響、例えば、歯茎の傷つき、歯頸部の損傷等、を抑えることができるとともに、楽にブラッシングを行うことができる。【０００８】  また、エッジ部を形成している凹形状の部分があることで、毛が全く屈曲しないか、小さな屈曲で、エッジ部は目的の部位に達する。毛の屈曲が小さいので、少ない毛束の集合であっても耐久性を犠牲にすることがない。これは、小さな植毛部を持つコンパクトタイプに特に効果的である。また、毛先の形状を植毛部の略中央部のみを変えることで実現できるので、毛先や毛束の形状、植毛方法などを大きく変えるものではない。製造設備や、製造方法の変更は最小限で対応できる。製造コストの増加を抑えて、実現できるものである。
【発明を実施するための最良の形態】
【０００９】  以下、本発明の実施の形態を図示例とともに詳細に説明する。【００１０】  図４は、従来の歯ブラシ形状を示すものである。ａでは、毛長さが略同一であり、ほぼ平坦な毛先面を構成している。ｂは、連続山形カットの毛先を有する歯ブラシであり、山形形状が繰り返されている。このため毛先面に凹凸はあるが、歯の大きさから見ればほぼ平坦な毛先面を構成していると言える。【００１１】  図５は、図４で示した従来形歯ブラシを、歯の表面に当てたときの状態を示したものである。ａは歯の側面に当てた状態を示しており、ｂは奥歯の裏に当てた状態を示している。この図は、歯ブラシを歯の表面に当てた状態では、歯の表面の接線方向の位置に毛先が揃ってしまうことを示している。歯間部や奥歯の裏側へ毛先を届けさせることができないのは明らかで、このような奥まった部位を清掃することが難しいことを示している。あえて清掃しようとするのであれば、歯ブラシを強く歯に押し当てて、毛を屈曲させ毛先を目的の部位に近付ける必要がある。これは、歯や歯茎の受ける圧力が高くなり、痛め易くなるので良い方法とは言えない。また、毛を大きく屈曲させるので、毛がへたりやすくなる。【００１２】  図１は、本発明の歯ブラシの実施例の概略図を示す。本実施例では、歯ブラシの略中央部に連続的に毛長さが変化する部分と、短く略同一長さの部分と、連続的に毛長さが変化する部分とから、凹形状を形成している。この凹形状の両側にエッジ部を形成している。エッジ部の両側は、略同一長さの毛先で平坦部を形成している。【００１３】  図２は、エッジ部を形成する方法を示した、他の実施例である。ａは、毛を無くして凹形状としたものであり、ｂは、毛長さを短く略同一にしたものである。ｃは、毛先を連続的に変化させたものである。また、ｄは、毛先が連続的に変化する両側の部分と、毛がない中央部分とを組み合わせたものである。【００１４】  図３は、図１に示した実施例の歯ブラシを、歯に当てた状態を示したものである。ａは、歯の側面に当てたもので、凹形状と歯の表面を合わせた状態を示している。凹形状部に歯の表面が収まっており、エッジ部の毛先が歯間部の奥まった部位に、容易に入り込む状態を示している。この状態で小刻みに動かしてブラッシングをすると、エッジ部の毛先が歯間部の奥に入ったり出たりして、効果的に清掃でき、高い歯垢除去能力を発揮する。【００１５】  ｂは、奥歯の裏側へ歯ブラシを当てた状態を示し、凹形状と奥歯の角を合わせた状態を示している。凹形状部に奥歯の角が収まっており、歯ブラシを押しつけることなく、奥歯の裏側に毛先を届けさせることができる。この状態で小刻みに動かしてブラッシングをすると、エッジ部の毛先と凹形状部の毛先とが奥歯の裏側を清掃し、高い歯垢除去能力を発揮する。また、凹形状部に奥歯の角が収まっているので、歯ブラシが出っ張らず相対的な寸法関係は小さくなる。コンパクトな歯ブラシを使っているのと同様に、圧迫感のない使用感を得ることができ、心地よいブラッシングを行うことができる。【００１６】  また、図３で示した毛長さが連続的に変化する部分は、各々の毛の長さが異なるので、それらが持つ剛性も微妙に異なる。この部分の毛先は、歯間部の奥から歯��表面に向かう部位や、奥歯の裏側などの表面形状の変化に対応し、小刻みに動かしてブラッシングをすると歯の表面に接して、高い歯垢除去能力を発揮する。また、エッジ部の両側にある平坦部は、従来と同様に、歯表面の最も外側や、奥歯の噛み合わせ面などの、毛先が揃っていて清掃力を発揮する部位の歯垢除去に効果的である。【００１７】  本発明の歯ブラシを実施例をもとに説明したが、本実施例にとらわれるものではない。また、毛の材質、植毛方法、毛束の形状、毛先の形状などにとらわれるものではないことは、言うまでもない。
【図面の簡単な説明】
【００１８】
【図１】  本発明に係わる具体的な実施例の歯ブラシ頭部の側面図について示した概略図である。
【図２】  本発明に係わる具体的な他の実施例の歯ブラシ頭部の側面図について示した概略図である。
【図３】  歯間部や奥歯を清掃する状態を示す図１の歯ブラシの図である。
【図４】  従来例を示す歯ブラシ頭部の側面図について示した概略図である。
【図５】  歯間部や奥歯を清掃する状態を示す従来例図４の歯ブラシの図である。
【符号の説明】
【００１９】１    エッジ部
２    凹形状部
３    平坦部
４    毛部
５    植毛部
【図１】
2009018145.tif 000003
【図２】
2009018145.tif 000004
【図３】
2009018145.tif 000005
【図４】
2009018145.tif 000006
【図５】
2009018145.tif 000007